(57)【要約】【課題】複数の加熱コイルを連動して動作させて１つの被加熱物を加熱する場合でも使用者が操作しやすい誘導加熱調理器を提供すること。【解決手段】被加熱物載置判断部が第１の加熱コイル１３および第２の加熱コイル１４の上方に同一の被加熱物が載置されていると判断したときに、加熱制御部１８ａは第１の加熱コイル１３と第２の加熱コイル１４を連動して動作させ、操作制御部１８ｂは、第１の操作部８および第２の操作部９のどちらを用いても操作が可能となる。【選択図】図１
2010080080.tif 000002
【特許請求の範囲】
【請求項１】
トッププレートと、誘導磁界を発生させて、前記トッププレート上に載置された被加熱物を加熱する、少なくとも第１の加熱コイルと第２の加熱コイルとを含む複数の加熱コイルと、前記複数の加熱コイルに高周波電流を供給するインバータ回路と、前記インバータ回路の出力を制御する加熱制御部と、少なくとも前記第１の加熱コイルを操作する第１の操作部と前記第２の加熱コイルを操作する第２の操作部とを含む複数の操作部と、前記複数の操作部を制御する操作制御部と、前記第１の加熱コイルおよび前記第２の加熱コイルの上方に同一の被加熱物が載置されているか否かを判断する被加熱物載置判断部とを備え、前記被加熱物載置判断部が前記第１の加熱コイルおよび前記第２の加熱コイルの上方に同一の被加熱物が載置されていると判断したときに、前記加熱制御部は第１の加熱コイルと第２の加熱コイルを連動して動作させ、前記操作制御部は、第１の操作部および第２の操作部のどちらを用いても操作が可能であることを特徴とする誘導加熱調理器。
【請求項２】
前記被加熱物載置判断部は、前記第１の加熱コイルの上方に被加熱物が載置されているか否かを判断する第１の被加熱物載置判断部と、前記第２の加熱コイルの上方に被加熱物が載置されているか否かを判断する第２の被加熱物載置判断部と、前記第１の加熱コイルと前記第２の加熱コイルの間の領域の上方に被加熱物が載置されているか否かを判断する第３の被加熱物載置判断部とを含み、前記第１の被加熱物載置判断部、前記第２の被加熱物載置判断部、および前記第３の被加熱物載置判断部のすべてが被加熱物が載置されていると判断した場合は、前記第１の加熱コイルおよび前記第２の加熱コイルの上方に同一の被加熱物が載置されていると判断することを特徴とする請求項１に記載の誘導加熱調理器。
【請求項３】
前記第１の被加熱物載置判断部、前記第２の被加熱物載置判断部、前記第３の被加熱物載置判断部は各々光検出部を含み、前記光検出部が光を検出した場合は被加熱物が載置されていないと判断し、前記光検出部が光を検出しない場合は被加熱物が載置されていると判断することを特徴とする請求項２に記載の誘導加熱調理器。
【請求項４】
前記第１の被加熱物載置判断部、前記第２の被加熱物載置判断部、前記第３の被加熱物載置判断部は各々温度検出部を含み、前記温度検出部が検出した温度に基づいて所定時間内の温度上昇を求め、所定時間内に温度が上昇した場合は被加熱物が載置されていると判断し、所定時間内に温度が上昇していない場合は被加熱物が載置されていないと判断することを特徴とする請求項２に記載の誘導加熱調理器。
【請求項５】
前記被加熱物載置判断部は、第１の加熱コイルの上方に載置された被加熱物の材質を判定する第１の材質判定部と、第２の加熱コイルの上方に載置された被加熱物の材質を判定する第２の材質判定部とを含み、前記第１の材質判定部によって判定された材質と、前記第２の材質判定部によって判定された材質が同じ場合は、前記第１の加熱コイルおよび前記第２の加熱コイルの上方に同一の被加熱物が載置されていると判断することを特徴とする請求項１に記載の誘導加熱調理器。
【請求項６】
前記被加熱物載置判断部が前記第１の加熱コイルおよび前記第２の加熱コイルの上方に同一の被加熱物が載置されていると判断したときに、前記操作制御部は第１の操作部および第２の操作部のどちらを用いても加熱を開始できるようにし、また、どちらかを用いて加熱を開始した後は操作されなかった方の操作部では加熱が終了するまで前記加熱コイルを操作できないようにすることを特徴とする請求項１〜５のいずれか１項に記載の誘導加熱調理器。
【請求項７】
前記被加熱物載置判断部が前記第１の加熱コイルおよび前記第２の加熱コイルの上方に同一の被加熱物が載置されていると判断したときに、前記操作制御部は第１の操作部および
第２の操作部で操作できる機能が同一となるように操作内容を変更させることを特徴とする請求項１〜５のいずれか１項に記載の誘導加熱調理器。
【発明の詳細な説明】
【技術分野】
【０００１】
本発明は、トッププレート上に載置された被加熱物を誘導加熱する誘導加熱調理器に関するものである。
【背景技術】
【０００２】
従来、この種の誘導加熱調理器は、トッププレート両面に電極部を設けて指が触れたときに生じる静電容量量によって操作することができる複数のタッチキーが備わり、これにより、力を加えることなく容易に誘導加熱調理器を操作することができる（例えば、特許文献１参照）。
【特許文献１】特開昭６１−２９２８３２号公報
【発明の開示】
【発明が解決しようとする課題】
【０００３】
しかしながら、前記従来の構成では、例えば鍋底径が大きな１つのオーバル鍋（楕円鍋）を２つの加熱コイル上に載置して加熱した場合、それぞれの加熱コイルに対応した操作部のどちらを使用すればいいか分からず、また加熱開始後に火力を変更したい場合にもどちらを使用すれば良いか分からないという課題を有していた。
【０００４】
本発明は、前記従来の課題を解決するもので、複数の加熱コイルを連動して動作させて１つの被加熱物を加熱することができ、その場合、使用者が操作しやすい誘導加熱調理器を提供することを目的とする。
【課題を解決するための手段】
【０００５】
前記従来の課題を解決するために、本発明の誘導加熱調理器は、トッププレートと、誘導磁界を発生させて、前記トッププレート上に載置された被加熱物を加熱する、少なくとも第１の加熱コイルと第２の加熱コイルとを含む複数の加熱コイルと、前記複数の加熱コイルに高周波電流を供給するインバータ回路と、前記インバータ回路の出力を制御する加熱制御部と、少なくとも前記第１の加熱コイルを操作する第１の操作部と前記第２の加熱コイルを操作する第２の操作部とを含む複数の操作部と、前記複数の操作部を制御する操作制御部と、前記第１の加熱コイルおよび前記第２の加熱コイルの上方に同一の被加熱物が載置されているか否かを判断する被加熱物載置判断部とを備え、前記被加熱物載置判断部が前記第１の加熱コイルおよび前記第２の加熱コイルの上方に同一の被加熱物が載置されていると判断したときに、前記加熱制御部は第１の加熱コイルと第２の加熱コイルを連動して動作させ、前記操作制御部は、第１の操作部および第２の操作部のどちらを用いても操作が可能であることによって、使用者が迷わずに操作を行うことができる。
【発明の効果】
【０００６】
本発明の誘導加熱調理器は、使用者が迷わずに操作を行うことができる。
【発明を実施するための最良の形態】
【０００７】
第１の発明は、トッププレートと、誘導磁界を発生させて、前記トッププレート上に載置された被加熱物を加熱する、少なくとも第１の加熱コイルと第２の加熱コイルとを含む複数の加熱コイルと、前記複数の加熱コイルに高周波電流を供給するインバータ回路と、前記インバータ回路の出力を制御する加熱制御部と、少なくとも前記第１の加熱コイルを操作する第１の操作部と前記第２の加熱コイルを操作する第２の操作部とを含む複数の操作部と、前記複数の操作部を制御する操作制御部と、前記第１の加熱コイルおよび前記第２の加熱コイルの上方に同一の被加熱物が載置されているか否かを判断する被加熱物載置
判断部とを備え、前記被加熱物載置判断部が前記第１の加熱コイルおよび前記第２の加熱コイルの上方に同一の被加熱物が載置されていると判断したときに、前記加熱制御部は第１の加熱コイルと第２の加熱コイルを連動して動作させ、前記操作制御部は、第１の操作部および第２の操作部のどちらを用いても操作が可能であることを特徴とする誘導加熱調理器において、使用者は迷わずに操作を行うことができる。
【０００８】
第２の発明は、特に、第１の発明の誘導加熱調理器において、被加熱物載置判断部は、前記第１の加熱コイルの上方に被加熱物が載置されているか否かを判断する第１の被加熱物載置判断部と、前記第２の加熱コイルの上方に被加熱物が載置されているか否かを判断する第２の被加熱物載置判断部と、前記第１の加熱コイルと前記第２の加熱コイルの間の領域の上方に被加熱物が載置されているか否かを判断する第３の被加熱物載置判断部とを含み、前記第１の被加熱物載置判断部、前記第２の被加熱物載置判断部、および前記第３の被加熱物載置判断部のすべてが被加熱物が載置されていると判断した場合は、前記第１の加熱コイルおよび前記第２の加熱コイルの上方に同一の被加熱物が載置されていると判断することにより、容易に被加熱物の大きさを判別することができる。
【０００９】
第３の発明は、特に、第２の発明の誘導加熱調理器において、第１の被加熱物載置判断部、前記第２の被加熱物載置判断部、前記第３の被加熱物載置判断部は各々光検出部を含み、前記光検出部が光を検出した場合は被加熱物が載置されていないと判断し、前記光検出部が光を検出しない場合は被加熱物が載置されていると判断することにより、容易に被加熱物が載置されているかどうかを判別することができる。
【００１０】
第４の発明は、特に、第２の発明の誘導加熱調理器において、第１の被加熱物載置判断部、前記第２の被加熱物載置判断部、前記第３の被加熱物載置判断部は各々温度検出部を含み、前記温度検出部が検出した温度に基づいて所定時間内の温度上昇を求め、所定時間内に温度が上昇した場合は被加熱物が載置されていると判断し、所定時間内に温度が上昇していない場合は被加熱物が載置されていないと判断することにより、容易に被加熱物が載置されているかどうかを判別することができる。
【００１１】
第５の発明は、特に、第１の発明の誘導加熱調理器において、被加熱物載置判断部は、第１の加熱コイルの上方に載置された被加熱物の材質を判定する第１の材質判定部と、第２の加熱コイルの上方に載置された被加熱物の材質を判定する第２の材質判定部とを含み、前記第１の材質判定部によって判定された材質と、前記第２の材質判定部によって判定された材質が同じ場合は、前記第１の加熱コイルおよび前記第２の加熱コイルの上方に同一の被加熱物が載置されていると判断することにより、容易に被加熱物の大きさを判別することができる。
【００１２】
第６の発明は、特に、第１〜第５のいずれか１つの発明の誘導加熱調理器において、被加熱物載置判断部が前記第１の加熱コイルおよび前記第２の加熱コイルの上方に同一の被加熱物が載置されていると判断したときに、前記操作制御部は第１の操作部および第２の操作部のどちらを用いても加熱を開始できるようにし、また、どちらかを用いて加熱を開始した後は操作されなかった方の操作部では加熱が終了するまで前記加熱コイルを操作できないようにすることにより、使用者が操作するのを容易にすることができる。
【００１３】
第７の発明は、特に、第１〜第５のいずれか１つの発明の誘導加熱調理器において、被加熱物載置判断部が前記第１の加熱コイルおよび前記第２の加熱コイルの上方に同一の被加熱物が載置されていると判断したときに、前記操作制御部は第１の操作部および第２の操作部で操作できる機能が同一となるように操作内容を変更させることにより、各々独立で動作させる時の第１の操作部と第２の操作部の設定が異なっている場合でも連動させる時には操作内容が同一であるので、使用者は容易に操作することができる。
【００１４】
以下、本発明の実施の形態について、図面を参照しながら説明する。なお、本実施の形態によって本発明が限定されるものではない。
【００１５】
（実施の形態１）
図１は、本発明の第１の実施の形態における誘導加熱調理器の上面図を示すものである。本実施の形態１の誘導加熱調理器の上部にガラスなどの電気絶縁物からなり、光を透過する結晶化セラミック製のトッププレート１を設け、トッププレート１上に被加熱物を載置して加熱する第１の加熱部２、第２の加熱部３、および第３の加熱部４を設ける。各加熱部の領域はトッププレート１の上面または下面に印刷によって表示されている。図１においては図示していないが、トッププレート１の下方であって、第１〜第３の加熱部２〜４それぞれに対応する位置に加熱コイルを設ける。これらの複数の加熱コイルは同心上に配置されていない。トッププレート１の下方に、第１〜第３の被加熱物載置判断部５，６，７を設ける。第１の被加熱物載置判断部５は、第１の加熱部２の上方に被加熱物が載置されているか否かを判断する。第２の被加熱物載置判断部６は、第２の加熱部３の上方に被加熱物が載置されているか否かを判断する。第３の被加熱物載置判断部７は、第１の加熱部２と第２の加熱部３の間の領域の上方に被加熱物が載置されているか否かを判断する。本実施の形態１においては、第１〜第３の被加熱物載置判断部５〜７はそれぞれ光検出部を含む。第１〜第３の被加熱物載置判断部５〜７は、光検出部が外乱光を検出した場合は被加熱物が載置されていないと判断し、光検出部が外乱光を検出しない場合は被加熱物が載置されていると判断する。トッププレート１の手前側（使用者側）に第１〜第３の操作部８〜１０と、反対側に吸気口１１および排気口１２とを設ける。第１の操作部８は複数の静電容量式のスイッチと第１の加熱コイル２の出力の大きさ、調理メニュー（加熱、揚げ物、湯沸かし、および炊飯）を識別するための記号などを表示する部分により構成され、各スイッチには第１の加熱部２が有する種々の機能がそれぞれ割り当てられている。第２の操作部９は複数の静電容量式のスイッチと第２の加熱コイル３の出力の大きさ、調理メニュー（加熱、炊飯）を識別するための記号などを表示する部分により構成され、各スイッチには第２の加熱部３が有する種々の機能がそれぞれ割り当てられている。第３の操作部１０は複数の静電容量式のスイッチと第３の加熱コイル４の出力の大きさ、調理メニュー（加熱、揚げ物、湯沸かし、および炊飯）を識別するための記号などを表示する部分により構成され、各スイッチには第３の加熱部４が有する種々の機能がそれぞれ割り当てられている。
【００１６】
図２は、本発明の第１の実施の形態における誘導加熱調理器の構成図を示すものである。図１では３つの加熱２〜４を図示したが、図２では説明の便宜上２つの加熱部２，３を図示する。本実施の形態１の誘導加熱調理器は、トッププレート１とトッププレート上に第１の操作部８と第２の操作部９とを備える。トッププレート１の下方に第１の加熱部２に対応する位置に第１の加熱コイル１３と、第２の加熱部３に対応する位置に第２の加熱コイル１４とを設ける。第１および第２の加熱コイル１３，１４は同心上に配置されていない。第１および第２の加熱コイル１３，１４は誘導磁界を発生させてトッププレート１上に載置された被加熱物１５を加熱する。第１の加熱コイル１３の上方に第１の被加熱物載置判断部５と第２の加熱コイル１４の上方に第２の被加熱物載置判断部６と第１および第２の加熱コイル１３，１４の間の領域の上方に第３の被加熱物載置判断部７を設ける。さらに本実施の形態１の誘導加熱調理器は、第１および第２の加熱コイル１３，１４の下方に第１の加熱コイル１３に高周波電流を供給する第１のインバータ回路１６と、第２の加熱コイル１４に高周波電流を供給する第２のインバータ回路１７と、誘導加熱調理器全体の制御を行う制御部１８を備える。制御部１８は第１および第２の操作部８、９からの入力に基づいて第１および第２の加熱コイル１３，１４に供給する高周波電流を制御するために第１および第２のインバータ回路１６、１７に制御信号を出力する加熱制御部１８ａと、第１および第２の操作部８，９で操作可能なスイッチを制御する操作制御部１８ｂ
とを含む。
【００１７】
図３に第１の操作部８の上面図を示すものである。第１の操作部８に含まれる複数の静電容量式スイッチ８ａ〜８ｄは調理に関する指示を入力するためのスイッチであって、例えばスイッチ８ａは調理開始および終了を制御する機能が割り当てられた切／入スイッチである。スイッチ８ｂは「加熱」「揚げ物」「湯沸かし」「炊飯」の調理メニューに適した設定モードに切り替える機能が割り当てられたメニュースイッチである。メニュースイッチ８ｂを押下することによって「加熱」「揚げ物」「湯沸かし」「炊飯」の順に調理メニューの設定モードが切り換えられる。例えば「揚げ物」「湯沸かし」「炊飯」を選択すると、揚げ物、湯沸かし、炊飯にそれぞれ適した設定で第１の加熱コイル１３が制御され、自動で調理が行われる。つまり、メニュースイッチ８ｂは「揚げ物」「湯沸かし」「炊飯」をそれぞれ自動で調理する自動調理スイッチである。スイッチ８ｃは火力を上げる機能が割り当てられた火力設定スイッチである。スイッチ８ｄは火力を下げる機能が割り当てられた火力設定スイッチである。メニュースイッチ８ｂによって「加熱」モードが設定されている場合に、火力設定スイッチ８ｃおよび８ｄによって火力の設定が可能となる。また第１の操作部８にはトッププレート１の下方から発光して所定の文字などを表示する表示部８ｅが含まれていて、表示部８ｅには「加熱」モードが設定されている場合には加熱モードが設定されている旨と設定されている火力を、「揚げ物」モードが設定されている場合には揚げ物モードが設定されている旨と設定されている温度を、「湯沸かし」「炊飯」モードが設定されている場合はそれぞれのモードが設定されている旨を表示する。制御部１８はスイッチ８ａ〜８ｄが押下されたことを検知すると、押下されたスイッチに基づいて第１の加熱コイル１３を制御する。
【００１８】
図４に第２の操作部９の上面図を示すものである。第２の操作部９に含まれる複数の静電容量式スイッチ９ａ〜９ｄは調理に関する指示を入力するためのスイッチであって、例えばスイッチ９ａは調理開始および終了を制御する機能が割り当てられた切／入スイッチである。スイッチ９ｂは「加熱」「炊飯」の調理メニューに適した設定モードに切り替える機能が割り当てられたメニュースイッチである。メニュースイッチ９ｂを押下することによって「加熱」「炊飯」の順に調理メニューの設定モードが切り換えられる。例えば「炊飯」を選択すると、炊飯に適した設定で第２の加熱コイル１４が制御され、自動で調理が行われる。つまり、メニュースイッチ９ｂは「炊飯」を自動で調理する自動調理スイッチである。スイッチ９ｃは火力を上げる機能が割り当てられた火力設定スイッチである。スイッチ９ｄは火力を下げる機能が割り当てられた火力設定スイッチである。メニュースイッチ９ｂによって「加熱」モードが設定されている場合に、火力設定スイッチ９ｃおよび９ｄによって火力の設定が可能となる。また第２の操作部９にはトッププレート１の下方から発光して所定の文字などを表示する表示部９ｅが含まれていて、表示部９ｅには「加熱」モードが設定されている場合には加熱モードが設定されている旨と設定されている火力を、「炊飯」モードが設定されている場合は炊飯モードが設定されている旨を表示する。制御部１８はスイッチ９ａ〜９ｄが押下されたことを検知すると、押下されたスイッチに基づいて第２の加熱コイル１４を制御する。
【００１９】
以上のように構成された誘導加熱調理器について、以下その動作、作用を説明する。
図５は、本実施の形態の誘導加熱調理器の操作制御部１８ｂによる操作部の動作制御のフローチャートを示すものである。
【００２０】
まず、ステップ（以下、Ｓと示す）１において、第１の被加熱物載置判断部５が第１の加熱部２に被加熱物が載置されたかどうかを判断し、被加熱物が載置されたと判断した場合にはＳ２へ進み、載置されてないと判断した場合にはＳ４へ進む。Ｓ２において、第２の被加熱物載置判断部６が第２の加熱部３に被加熱物が載置されたかどうかを判断し、被加熱物が載置されたと判断した場合にはＳ３へ進み、載置されてないと判断した場合には
Ｓ６へ進む。Ｓ３において、第３の被加熱物載置判断部７が第１の加熱部２と第２の加熱部３の間に被加熱物が載置されたかどうかを判断し、被加熱物が載置されたと判断した場合にはＳ５へ進み、載置されてないと判断した場合にはＳ６へ進む。Ｓ４において、第２の被加熱物載置判断部６が第２の加熱部３に被加熱物が載置されたかどうかを判断し、被加熱物が載置されたと判断した場合にはＳ６へ進み、載置されてないと判断した場合には終了する。Ｓ５において、第１の操作部８と第２の操作部９が連動して作動する様にし、どちらを操作しても同じ制御になるように操作制御部１８ｂで制御する。Ｓ６において、第１の操作部８と第２の操作部９が独立して作動する様にし、操作しても互いに影響を及ぼさないように操作制御部１８ｂで制御する。これにより、使用者は第１の加熱コイル１３と第２の加熱コイル１４とを連動させて１つの被加熱物を加熱する場合、どちらの操作部を用いても加熱できるため操作に迷わなくても良い。
【００２１】
なお、本実施の形態においては、第１〜第３の被加熱物載置判断部５〜７はそれぞれ、光検出部を含むが、これに代えて、温度検出部を含んでもよい。この場合、第１〜第３の被加熱物載置判断部５〜７は、温度検出部が検出した温度に基づいて所定期間内の温度上昇を求め、所定期間内に温度が上昇した場合は、被加熱物が載置されていると判断し、所定期間内に温度が上昇していない場合は、被加熱物が載置されていると判断する。
【００２２】
なお、本実施の形態においては、第１および第２の加熱部２，３に同じ被加熱物が載置されていると判断した場合には第１および第２の操作部８，９が連動して作動し、どちらを操作しても良いようになっているが、加熱開始時に選択した操作部だけ操作できる様にし、加熱が終了するまでは選択されなかった操作部は表示を消して操作できないようにしても良い。その際は操作できる操作部が一目で分かるため使用者は操作しやすい。
【００２３】
また、本実施の形態においては、第１および第２の加熱部２，３に同じ被加熱物が載置されていると判断した場合には第１および第２の操作部８，９で操作できる内容が同一になるようにしても良い。その際はどちらの操作部にも共通する機能のみを選択できる様にし、片方のみに存在する機能は選択できないようにするのが望ましい。
【００２４】
（実施の形態２）
本実施の形態では、材質判定部を用いて第１および第２の加熱コイル１３，１４の上方に同一の被加熱物が載置されているか否かを判断する誘導加熱調理器について説明する。一般に、被加熱物の材質が異なると加熱コイルを制御するインバータ回路への入力電流の特性が異なることが知られている。そこで、本実施の形態ではインバータ回路への入力電流に基づき被加熱物の材質を判定し、その判定結果に基づき第１および第２の加熱コイル１３，１４の上方に同一の被加熱物が載置されているか否かを判断する。本実施の形態による誘導加熱調理器の構成において、図１は実施の形態１と同じであるため説明を省略する。
【００２５】
図６は、本実施の形態２による誘導加熱調理器の構成図を示すものある。図１では第１〜第３の加熱部２〜４を図示したが、図６では説明の便宜上第１および第２の加熱部２，３を図示する。第１のインバータ回路１６は電源スイッチ１９がオンの時電源２０から電力を供給される。本実施の形態の誘導加熱調理器は、第１〜第３の被加熱物載置判断部５〜７の代わりに第１および第２のインバータ回路１６，１７への入力電力を検知する第１および第２の入力電流検知部２３，２４と、第１および第２の入力電流検知部２３，２４から入力された加熱コイルに流れる電流に基づき被加熱物の材質を判定する第１および第２の材質判定部２５，２６とを備える。本実施の形態による誘導加熱調理器の構成は、上述したもの以外は本実施の形態１と同じものであるため説明を省略する。
【００２６】
図７は、本実施の形態の誘導加熱調理器の操作制御部１８ｂによる操作部の動作制御の
フローチャートを示すものである。Ｓ１１において、第１の材質判定部２５が第１の加熱コイル１３の上方に載置されている被加熱物の材質Ａを判定する。Ｓ１２において、第２の材質判定部２６が第２の加熱コイル１４の上方に載置されている被加熱物の材質Ｂを判定する。Ｓ１３において、制御部１８は材質Ａと材質Ｂが同じであるか否かを判断し、同じ場合には第１の加熱コイル１３の上方と第２の加熱コイル１４の上方に載置されている被加熱物は同一のものであると判断してＳ１４へ進み、異なる場合には第１の加熱コイル１３と第２の加熱コイル１４の上方に載置されている被加熱物は別物であると判断してＳ１５へ進む。Ｓ１４において、第１の操作部８と第２の操作部９が連動して作動する様にし、どちらを操作しても同じ制御になるように操作制御部１８ｂで制御する。Ｓ１５において、第１の操作部８と第２の操作部９が独立して作動する様にし、操作しても互いに影響を及ぼさないように操作制御部１８ｂで制御する。これにより、使用者は第１の加熱コイル１３と第２の加熱コイル１４とを連動させて１つの被加熱物を加熱する場合、どちらの操作部を用いても加熱できるため操作に迷わなくても良い。
【００２７】
なお、本実施の形態２においても実施の形態１同様、加熱開始時に選択した操作部だけ操作できる様にし、加熱が終了するまでは選択されなかった操作部は表示を消して操作できないようにしても良い。
【００２８】
また、同様に第１および第２の加熱部２，３に同じ被加熱物が載置されていると判断した場合には第１および第２の操作部８，９で操作できる内容が同一になるようにしても良い。
【産業上の利用可能性】
【００２９】
本発明による誘導加熱調理器は、複数の加熱コイルを連動して動作させて１つの被加熱物を加熱する場合に使用者が操作しやすい効果を有し、一般家庭などで使用される誘導加熱調理器等の用途にも適用できる。
【図面の簡単な説明】
【００３０】
【図１】本発明の実施の形態１による誘導加熱調理器の上面図
【図２】本発明の実施の形態１による誘導加熱調理器の構成図
【図３】本発明の実施の形態１による第１の操作部の上面図
【図４】本発明の実施の形態１による第２の操作部の上面図
【図５】本発明の実施の形態１の誘導加熱調理器による操作部の動作制御の流れ図
【図６】本発明の実施の形態２による誘導加熱調理器の構成図
【図７】本発明の実施の形態２の誘導加熱調理器による操作部の動作制御の流れ図
【符号の説明】
【００３１】
１  トッププレート
２  第１の加熱部
３  第２の加熱部
４  第３の加熱部
５  第１の被加熱物載置判断部
６  第２の被加熱物載置判断部
７  第３の被加熱物載置判断部
８  第１の操作部
９  第２の操作部
１０  第３の操作部
１１  吸気口
１２  排気口
１３  第１の加熱コイル
１４  第２の加熱コイル
１５  被加熱物
１６  第１のインバータ回路
１７  第２のインバータ回路
１８  制御部
１８ａ  加熱制御部
１８ｂ  操作制御部
１９  電源スイッチ
２０  電源
２１  電源スイッチ
２２  電源
２３  第１の入力電流検知部
２４  第２の入力電流検知部
２５  第１の材質判定部
２６  第２の材質判定部
【図１】
2010080080.tif 000003
【図２】
2010080080.tif 000004
【図３】
2010080080.tif 000005
【図４】
2010080080.tif 000006
【図５】
2010080080.tif 000007
【図６】
2010080080.tif 000008
【図７】
2010080080.tif 000009